(57)【特許請求の範囲】
【請求項１】
画素に対応した複数のフォトダイオードが一列に配置され，これらのフォトダイオードの受光面上に緑色の光成分の透過を許すフィルタが設けられ，対象画像を表わす緑色画像信号を出力する緑色用ライン・センサと，上記緑色用のライン・センサと平行に配置され，かつ画素に対応した複数のフォトダイオードが一列に配置され，これらのフォトダイオードの受光面上に赤色の光成分の透過を許すフィルタと青色の光成分の透過を許すフィルタとが交互に設けられ対象画像を表わす赤色画像信号および青色画像信号を出力する赤色青色兼用ライン・センサとからなる２ライン・センサ，ならびに上記対象画像と上記２ライン・センサとを相対的に搬送させる搬送手段を備えたスキャナにおいて，
上記緑色画像信号によって表わされる画素に対応する画素であって，上記赤色画像信号によって表わされる画素が欠如している部分である赤色補間対象画素の両側に存在する上記赤色画像信号によって表わされる赤色画素の信号の平均を演算する赤色平均信号演算手段，
上記赤色平均信号演算手段によって演算された平均信号に，上記赤色補間対象画素に対応する緑色画素を表す緑色映像信号からこの緑色画素の両側に隣接する緑色画素を表す緑色映像信号の平均信号を減算することにより得られる補正値を加えて補正する赤色補間対象画素補正手段，
上記緑色画像信号によって表わされる画素に対応する画素であって，上記青色画像信号によって表わされる画素が欠如している部分である青色補間対象画素の両側に存在する上記青色画像信号によって表わされる青色画素の信号の平均を演算する青色平均信号演算手段，ならびに
上記青色平均信号演算手段によって演算された平均信号に，上記青色補間対象画素に対応する緑色画素を表す緑色映像信号からこの緑色画素の両側に隣接する緑色画素を表す緑色映像信号の平均信号を減算することにより得られる補正値を加えて補正する青色補間処理画素補正手段，
をさらに備えたスキャナ。
【請求項２】
上記緑色用ライン・センサと上記赤色青色兼用ライン・センサとが上記複数のフォトダイオードが一列に配置されている方向に１／２画素ずれており，
上記２ライン・センサから出力される上記緑色画像信号によって表わされる緑色画素，上記赤色画像信号によって表わされる赤色画素および上記青色画像信号によって表わされる青色画素を，与えられる間引率にしたがってそれぞれ同じ間引率で間引く間引手段をさらに備え，
上記赤色平均信号演算手段が，上記間引手段によって間引かれた緑色画素に対応する画素であって，上記間引手段によって間引かれた赤色画素が欠如している赤色補間対象画素の両側に存在する赤色画素の信号の平均を演算するものであり，
上記青色平均信号演算手段が，上記間引手段によって間引かれた緑色画素に対応する画素であって，上記間引手段によって間引かれた青色画素が欠如している青色補間対象画素の両側に存在する青色画素の信号の平均を演算するものである，
請求項１に記載のスキャナ。
【請求項３】
画素に対応した複数のフォトダイオードが一列に配置され，これらのフォトダイオードの受光面上に緑色の光成分の透過を許すフィルタが設けられ，対象画像を表わす緑色画像信号を出力する緑色用ライン・センサと，上記緑色用のライン・センサと平行に配置され，かつ画素に対応した複数のフォトダイオードが一列に配置され，これらのフォトダイオードの受光面上に赤色の光成分の透過を許すフィルタと青色の光成分の透過を許すフィルタとが交互に設けられ対象画像を表わす赤色画像信号および青色画像信号を出力する赤色青色兼用ライン・センサとからなる２ライン・センサ，ならびに上記対象画像と上記２ライン・センサとを相対的に搬送させる搬送手段を備えたスキャナにおいて，
上記緑色画像信号によって表わされる画素に対応する画素であって，上記赤色画像信号によって表わされる画素が欠如している部分である赤色補間対象画素の両側に存在する上記赤色画像信号によって表わされる赤色画素の信号の平均を演算し，
上記赤色平均信号演算処理によって演算された平均信号に，上記赤色補間対象画素に対応する緑色画素を表す緑色映像信号からこの緑色画素の両側に隣接する緑色画素を表す緑色映像信号の平均信号を減算することにより得られる補正値を加えて補正し，
上記緑色画像信号によって表わされる画素に対応する画素であって，上記青色画像信号によって表わされる画素が欠如している部分である青色補間対象画素の両側に存在する上記青色画像信号によって表わされる画素の信号の平均を演算し，
上記青色平均信号演算処理によって演算された平均信号に，上記青色補間対象画素に対応する緑色画素を表す緑色映像信号からこの緑色画素の両側に隣接する緑色画素を表す緑色映像信号の平均信号を減算することにより得られる補正値を加えて補正する，
補間画素生成方法。
【請求項４】
上記緑色用ライン・センサと上記赤色青色兼用ライン・センサとが上記複数のフォトダイオードが一列に配置されている方向に１／２画素ずれており，
上記２ライン・センサから出力される上記緑色画像信号によって表わされる緑色画素，上記赤色画像信号によって表わされる赤色画素および上記青色画像信号によって表わされる青色画素を，与えられる間引率にしたがってそれぞれ同じ間引率で間引き，
上記赤色平均信号演算処理が，上記間引処理によって間引かれた緑色画素に対応する画素であって，上記間引処理によって間引かれた赤色画素が欠如している赤色補間対象画素の両側に存在する赤色画素の信号の平均を演算するものであり，
上記青色平均信号演算処理が，上記間引処理によって間引かれた緑色画素に対応する画素であって，上記間引処理によって間引かれた青色画素が欠如している青色補間対象画素の両側に存在する青色画素の信号の平均を演算するものである，
請求項３に記載のスキャナにおける補間画素生成方法。
【発明の詳細な説明】
【０００１】
【技術分野】
この発明は，画素に対応した複数のフォトダイオードが一列に配置され，これらのフォトダイオードの受光面上に緑色の光成分の透過を許すフィルタが設けられ，対象画像を表わす緑色画像信号を出力する緑色用ライン・センサと，上記緑色用のライン・センサと平行に配置され，かつ画素に対応した複数のフォトダイオードが一列に配置され，これらのフォトダイオードの受光面上に赤色の光成分の透過を許すフィルタと青色の光成分の透過を許すフィルタとが交互に設けられ，対象画像を表わす赤色画像信号および青色画像信号を出力する赤色青色兼用ライン・センサとからなる２ライン・センサ，ならびに上記対象画像と上記２ライン・センサとを相対的に搬送させる搬送手段を備えたスキャナ（カラー・コピー機，カラー・ファクシミリ等を含む）およびその補間画素生成方法に関する。
【０００２】
【発明の背景】
上記のようなスキャナでは，赤色青色兼用ライン・センサには赤色の光成分の透過を許すフィルタと青色の光成分の透過を許すフィルタとがフォトダイオードの受光面上に交互に設けられているため緑色画像信号によって表わされる対象画像の画素数と，青色画像信号または赤色画像信号によって表わされる対象画像の画素数とが一致しない。このため青色画像信号または赤色画像信号によって表わされる対象画像については画素補間が行なわれ，緑色画像信号によって表わされる対象画像の画素数と一致させられる。この画素補間のために，スキャナを用いて読取られた対象画像を表わすとエッジ部分に偽色が生じることがある。
【０００３】
この偽色の発生を防止するために，撮像光学系に光学的ロウ・パス・フィルタを挿入し偽色の発生原因となる高域成分を取り除いている。
【０００４】
上記２ライン・センサでは緑色ライン・センサから出力される緑色画像信号のサンプリング周波数と赤色青色兼用ライン・センサから出力される赤色画像信号および青色画像信号のサンプリング周波数とは異なる。このため光学的ロウ・パス・フィルタのカットオフ周波数を緑色用ライン・センサから出力される緑色画像信号のサンプリング周波数に合わせると，赤色画像信号によって表わされる対象画像および青色画像信号によって表わされる対象画像に依然として偽色が発生することがある。光学的ロウ・パス・フィルタのカットオフ周波数を赤色青色兼用のライン・センサから出力される赤色画像信号および青色画像信号のサンプリング周波数に合わせると表示される対象画像の解像度が低下する。
【０００５】
【発明の開示】
この発明は解像度を低下させることなく，かつ偽色の発生も防止できるようにすることを目的とする。
【０００６】
この発明は，画素に対応した複数のフォトダイオードが一列に配置され，これらのフォトダイオードの受光面上に緑色の光成分の透過を許すフィルタが設けられ，対象画像を表わす緑色画像信号を出力する緑色用ライン・センサと，上記緑色用のライン・センサと平行に配置され，かつ画素に対応した複数のフォトダイオードが一列に配置され，これらのフォトダイオードの受光面上に赤色の光成分の透過を許すフィルタと青色の光成分の透過を許すフィルタとが交互に設けられ対象画像を表わす赤色画像信号および青色画像信号を出力する赤色青色兼用ライン・センサとからなる２ライン・センサ，ならびに上記対象画像と上記２ライン・センサとを相対的に搬送させる搬送手段を備えたスキャナにおいて，上記緑色画像信号によって表わされる画素に対応する画素であって，上記赤色画像信号によって表わされる画素が欠如している部分である赤色補間対象画素の両側に存在する上記赤色画像信号によって表わされる画素の信号の平均を演算する赤色平均信号演算手段，上記赤色平均信号演算手段によって演算された平均信号を補正する赤色補間対象画素補正手段，上記緑色画像信号によって表わされる画素に対応する画素であって，上記青色画像信号によって表わされる画素が欠如している部分である青色補間対象画素の両側に存在する上記青色画像信号によって表わされる画素の信号の平均を演算する青色平均信号演算手段，ならびに上記青色平均信号演算手段によって演算された平均信号を補正する青色補間処理画素補正手段をさらに備えていることを特徴とする。
【０００７】
この発明は，スキャナにおける補間画素生成方法も提供している。すなわち，画素に対応した複数のフォトダイオードが一列に配置され，これらのフォトダイオードの受光面上に緑色の光成分の透過を許すフィルタが設けられ，対象画像を表わす緑色画像信号を出力する緑色用ライン・センサと，上記緑色用のライン・センサと平行に配置され，かつ画素に対応した複数のフォトダイオードが一列に配置され，これらのフォトダイオードの受光面上に赤色の光成分の透過を許すフィルタと青色の光成分の透過を許すフィルタとが交互に設けられ対象画像を表わす赤色画像信号および青色画像信号を出力する赤色青色兼用ライン・センサとからなる２ライン・センサ，ならびに上記対象画像と上記２ライン・センサとを相対的に搬送させる搬送手段を備えたスキャナにおいて，上記緑色画像信号によって表わされる画素に対応する画素であって，上記赤色画像信号によって表わされる画素が欠如している部分である赤色補間対象画素の両側に存在する上記赤色画像信号によって表わされる画素の信号の平均を演算し，上記赤色平均信号演算処理によって演算された平均信号を補正し，上記緑色画像信号によって表わされる画素に対応する画素であって，上記青色画像信号によって表わされる画素が欠如している部分である青色補間対象画素の両側に存在する上記青色画像信号によって表わされる画素の信号の平均を演算し，上記青色平均信号演算処理によって演算された平均信号を補正することを特徴とする。
【０００８】
この発明によると，上記赤色平均信号演算処理によって演算された平均信号および上記青色平均信号演算処理によって演算された平均信号がそれぞれ補正される。この補正された平均信号が上記赤色補間対象画素および上記青色補間対象画素を表わすこととなる。
【０００９】
上記補正処理が行なわれているので，上記２ライン・センサによって読取られた対象画像のエッジ部分に偽色が発生することを防止できる。対象画像を表示させる場合であっても解像度が低下することもない。
【００１０】
上記補正処理は，たとえば上記緑色画像信号にもとづいて行なう。具体的には上記赤色補間対象画素および上記青色補間対象画素に対応する，上記緑色映像信号によって表わされる緑色画素およびこの緑色画素の両側に隣接する緑色画素の信号にもとづいて補正すればよい。この補正は，上記平均信号に補正値を加えればよい。具体的には，上記赤色補間対象画素および上記青色補間対象画素に対応する緑色画素を表わす緑色映像信号からこの緑色画素の両側に隣接する緑色画素を表わす緑色映像信号の平均信号を減算することにより得られる値を，上記平均信号に加算する。
【００１１】
上記緑色用ライン・センサと上記赤色青色兼用ライン・センサとが１／２画素ずれていてもよい。
【００１２】
そして，縮小画像の作成のために，上記２ライン・センサから出力される上記緑色画像信号によって表わされる緑色画素，上記赤色画像信号によって表わされる赤色画素および上記青色画像信号によって表わされる青色画素を，与えられる間引率にしたがってそれぞれ同じ間引率で間引く。
【００１３】
この場合には，上記赤色平均信号演算処理は，上記間引処理によって間引かれた緑色画素に対応する上記間引処理によって間引かれた赤色画素が欠如している赤色補間対象画素の両側に存在する赤色画素の信号の平均を演算し，上記青色平均信号演算処理は，上記間引処理によって間引かれた緑色画素に対応する上記間引処理によって間引かれた青色画素が欠如している青色補間対象画素の両側に存在する青色画素の信号の平均を演算する。
【００１４】
この場合にも，上記補正処理が行なわれているので，上記対象画像を縮小した画像のエッジ部分に偽色が発生することを防止できる。縮小画像を表示させる場合でも解像度の低下を抑えることができる。
【００１５】
【実施例の説明】
この発明による実施例について説明する前に，２ライン・センサを用いて対象画像を読取り表示（または印刷）する場合に，表示された対象画像のエッジ部分に偽色が発生する原理について説明する。
【００１６】
図３は２ライン・センサの電気的構成の一例を示している。
【００１７】
２ライン・センサ21は緑色用ライン・センサ22と赤色青色兼用ライン・センサ23とから構成されている。
【００１８】
緑色用ライン・センサ22においては，画素に対応した複数のフォトダイオード２が一列に配置されている。フォトダイオード２の受光面上には緑色の光成分の透過を許すフィルタが設けられている。一列に配置されている複数のフォトダイオード２の出力端子はリードアウト・ゲート３を介してシフト・レジタス４と接続されている。
【００１９】
入射光量に応じた信号電荷がフォトダイオード２に蓄積される。リードアウト・ゲート３にゲート・パルスが与えられることにより，信号電荷はリードアウト・ゲートを介してシフト・レジスタ４に与えられる。シフト・レジスタ４に転送パルスが与えられることにより信号電荷はシフト・レジスタ４内を転送し増幅回路５を介して，対象画像の緑色成分を表わすＧ信号として２ライン・センサ21から出力される。
【００２０】
赤色青色兼用ライン・センサ23においても緑色用ライン・センサ22と同様に画素に対応した複数のフォトダイオード６が一列に配置されている。ここでは赤色青色兼用ライン・センサ23は緑色用ライン・センサ22に対して１／２画素ずれている。赤色青色兼用ライン・センサ23の場合には，フォトダイオード６の受光面上には赤色の光成分の透過を許すフィルタと青色の光成分の透過を許すフィルタとが１画素おきに交互に設けられている（図３においては赤色の光成分の透過を許すフィルタが設けられているフォトダイオード６が符号Ｒで示されており，青色の光成分の透過を許すフィルタが設けられているフォトダイオード６が符号Ｂで示されている）。一列に配置されている複数のフォトダイオード６の出力端子はリードアウト・ゲート７を介してシフト・レジスタ８と接続されている。
【００２１】
緑色用ライン・センサ22と同様に，フォトダイオード６に蓄積された信号電荷は，リードアウト・ゲート７にゲート・パルスが与えられることによりシフト・レジスタ８に与えられる。シフト・レジスタ８に転送パルスが与えられることにより，信号電荷はシフト・レジスタ８内を転送し増幅回路９を介して対象画像の赤色成分を表わすＲ信号と対象画像の青色成分を表わすＢ信号として２ライン・センサ21から交互に出力される（Ｒ／Ｂ信号）。
【００２２】
２ライン・センサ21から出力されるＧ信号およびＲ／Ｂ信号が図８(A) に示されている。これらのＧ信号およびＲ／Ｂ信号はＲＧＢ分離回路においてＧ信号，Ｒ信号およびＢ信号にそれぞれ分離させられる（図８(B) ）。赤色青色兼用ライン・センサ23においては，フォトダイオード６の受光面上に赤色の光成分の透過を許すフィルタと青色の光成分の透過を許すフィルタとを交互に設けているので，Ｒ信号によって表わされる対象画像の画素数およびＢ信号によって表わされる対象画像の画素数は，Ｇ信号によって表わされる対象画像の画素数の半分となる。Ｒ信号，Ｂ信号およびＧ信号によってそれぞれ表わされる対象画像の画素数を一致させる必要がある。このためにＲ信号およびＢ信号については補間処理が行なわれる（図８(C) ）。Ｇ信号については隣接する画素同士で平均化される。
【００２３】
図８(C) においては，たとえばＧ信号によって表わされる（Ｇ3 ＋Ｇ4 ）／２の画素に対応するＲ信号によって表わされる画素が欠如しており，この欠如している部分が補間によって生成される補間対象画素である。この補間対象画素を表わす信号は補間対象画素に隣接して存在する２つの画素（Ｒ3 およびＲ5 ）の信号の相加平均によって生成される（（Ｒ3 ＋Ｒ5 ）／２）。
【００２４】
図９(A) は対象画像のエッジ部分を表わす信号のレベルを示している。
【００２５】
図９(A) において画素Ｒ3 の部分は白レベルであり，画素Ｒ4 およびＲ5 の部分は黒レベルである。画素Ｒ3 の部分と画素Ｒ4 の部分との境界が対象画像のエッジ部分であり，この境界において信号レベルが低下している。２ライン・センサ21においては画素Ｒ3 に対応するフォトダイオードと画素Ｒ5 に対応するフォトダイオード６は存在するが，画素Ｒ4 に対応するフォトダイオード６はＢ信号用に用いているため，存在しない。このため画素Ｒ4 を表わす信号は上述のように補間処理によって生成される。補間処理後の信号レベルは図９(B) に示すように画素Ｒ3 およびＲ5 については実際の対象画像と同じように白レベルおよび黒レベルとなっている。しかしながら，補間処理によって得られた画素Ｒ4 に相当する信号は，画素Ｒ3 とＲ5 との相加平均によって得られるので実際の対象画像は黒レベルであるにもかかわらず白レベルと黒レベルの中間のレベルとなってしまう。このために偽色が発生する。このことはＲ信号にかかわらずＢ信号についても同様である。
【００２６】
この実施例によるスキャナ・システムは，補間処理によって生成された信号を補正することにより偽色の発生を防ぐものである。具体的には図10に示すように補間処理によって得られた画素Ｒ4 に相当する信号に補正値Δ（Δは補間対象画素に対応するＧ信号によって表わされる画素とこの画素の両側に隣接する画素にもとづいて定められるものであり，Ｒ4 の場合には，具体的にはΔ＝Ｇ4 −（Ｇ3 ＋Ｇ5 ）／２である）を加える。これにより補間対象画素の信号レベルは実際の対象画像と一致し，偽色の発生を防止できる。
【００２７】
次にこの実施例によるスキャナ・システムについて説明する。スキャナ・システムはスキャナとコンピュータ装置とから構成される。
【００２８】
図１はスキャナの電気的構成を示すブロック図，図２は図１に示すスキャナを制御するコンピュータ装置の電気的構成を示すブロック図である。図３は上述した２ライン・センサ21の電気的構成を示すブロック図，図４はコンピュータ装置に含まれるＲＧＢ分離回路50および補間回路60の電気的構成を示すブロック図，図５はスキャナまたはコンピュータ装置の各回路に流れるＧ信号（Ｇデータ），Ｒ／Ｂ信号，Ｒ信号（Ｒデータ）およびＢ信号（Ｂデータ）を示している。
【００２９】
図１を参照して，スキャナには搬送光学ユニット10およびＣＣＤ撮像ユニット20が含まれている。
【００３０】
搬送光学ユニット10には写真フイルム12を搬送させるフイルム搬送機構14が含まれている。写真フイルム12を挟んで光源11および撮像レンズ13が配置されている。光源11によって写真フイルム12の所望の駒（対象画像）が照らされ，撮像レンズ13によって対象画像を表わす光像が２ライン・センサ21に含まれるフォトダイオード２および６の受光面上に結像する。
【００３１】
ＣＣＤ撮像ユニット20の全体の動作はＣＰＵ25によって統括される。ＣＰＵ25には，ＳＣＳＩ（Small Computer System Interface ）33を介してコンピュータ装置から制御コマンドが与えられ，この制御コマンドにしたがってＣＣＤ撮像ユニット20の動作を制御する。
【００３２】
２ライン・センサ21はＣＰＵ25によって制御されるＣＣＤ駆動回路24により制御される。ＣＣＤ駆動回路24からは，フォトダイオード２および６における信号電荷蓄積制御パルス（シャッタ制御信号），上述したゲート・パルスおよび転送パルスが出力され，これらのパルスは２ライン・センサ21に与えられる。これにより２ライン・センサ21から上述のようにＧ信号およびＲ／Ｂ信号が出力される。Ｇ信号はフォトダイオード２の数に対応した画素数の解像度をもつ。Ｒ／Ｂ信号はＲ信号とＢ信号とが交互に現われる（図５(A) ）。
【００３３】
２ライン・センサ21から出力されるＧ信号は前置増幅回路26において増幅され間引回路28に与えられる。Ｇ信号は間引回路28において，ＣＰＵ25から与えられる間引率にしたがって間引かれる（ここでは間引率は50％に設定されているものとする）。この間引率はコンピュータ装置から与えられる制御コマンドに含まれている。間引回路28における間引処理によってＧ信号は１画素おきに間引かれる（図５(B) ）。間引かれたＧ信号は合成回路30に与えられる。
【００３４】
２ライン・センサ21から出力されるＲ／Ｂ信号は前置増幅回路27において増幅され間引回路29に与えられる。Ｒ／Ｂ信号は間引回路29において，ＣＰＵ25から与えられる間引率にしたがって間引かれる（間引率50％）。間引回路29における間引処理によってＲ／Ｂ信号は，Ｒ画素とＢ画素とを一組と考えたときに一組おきに間引かれる（図５(B) ）。間引かれたＲ／Ｂ信号は合成回路30に与えられる。図５(A) において，間引回路28または29によって間引きされる画素については×印が付されている。
【００３５】
合成回路30において，入力したＧ信号およびＲ／Ｂ信号が点順次化される（図５(C) ）。合成回路30から出力された点順次信号はアナログ／ディジタル変換回路31においてディジタル画像データに変換されバッファ・メモリ32に与えられる。ディジタル画像データはメモリ・コントローラ34の制御のもとバッファ・メモリ32に一時記憶される。バッファ・メモリ32に一時記憶されたディジタル画像データは読出されＳＣＳＩインターフェイス33を介して出力される。
【００３６】
スキャナから出力されたディジタル画像データはＳＣＳＩインターフェイス41を介してコンピュータ装置に入力する。ディジタル画像データはＳＣＳＩインターフェイス41からＲＧＢ分離回路50に入力する。
【００３７】
コンピュータ装置にはクロック・パルス発生器90が含まれている。クロック・パルス発生器90は第１の画素クロック・パルスＣＬＫ１を出力する。この画素クロック・パルスＣＬＫ１は図５(C) に示す点順次のディジタル画像データの画素に対応している。この第１の画素クロック・パルスＣＬＫ１はＲＧＢ分離回路50に与えられる。第１の画素クロック・パルスＣＬＫ１は１／２分周回路91に与えられ，第２の画素クロック・パルスＣＬＫ２が得られる。この第２の画素クロック・パルスＣＬＫ２はさらに１／２分周回路92に与えられ，第３の画素クロック・パルスＣＬＫ３が得られる（図５(D) 参照）。これらの第２の画素クロック・パルスＣＬＫ２および第３の画素クロック・パルスＣＬＫ３は補間回路60に与えられる。
【００３８】
ＳＣＳＩインターフェイス41から出力されるディジタル画像データはＲＧＢ分離回路50においてＲデータ，ＧデータおよびＢデータに分離される。ＲＧＢ分離回路50から出力されるＲデータ，ＧデータおよびＢデータは補間回路60に与えられ補間対象画素の画像データ生成処理が行なわれる。ＲＧＢ分離回路50におけるＲデータ，ＧデータおよびＢデータの分離処理ならびに補間回路60における処理について詳しくは後述する。
【００３９】
補間回路60から出力されるＲデータ，ＧデータおよびＢデータはネガ／ポジ反転回路44に与えられる。スキャナに装填された写真フイルム12がネガフイルムであればネガ／ポジ反転回路44においてネガ／ポジ反転処理が行なわれる。スキャナに装填された写真フイルム12がポジフイルムであればネガ／ポジ反転回路44に入力したＲデータ，ＧデータおよびＢデータは回路44を単に通過する。
【００４０】
ネガ／ポジ反転回路44から出力されたＲデータ，ＧデータおよびＢデータは画像処理回路45に与えられる。画像処理回路45において画像切り抜き処理，色補正などの画像処理が行なわれ，画像データとして出力される。
【００４１】
画像処理回路45から出力された画像データはモニタ表示装置46に与えられ表示される。また必要に応じて画像データはプリンタ47にも与えられ印刷される。
【００４２】
次にＲＧＢ分離処理および補間処理について述べる。
【００４３】
図４を参照して，ＳＣＳＩインターフェイス41から出力される点順次画像データはＲＧＢ分離回路50に与えられる。
【００４４】
ＲＧＢ分離回路50には切替スイッチ51が含まれている。この切替スイッチ51はａ端子〜ｄ端子をもち，クロック・パルス発生回路90から出力される第１の画素クロック・パルスＣＬＫ１が与えられることに応じてそれぞれの端子が順に切替えられる。これによりａ端子およびｃ端子にはＧデータが与えられ，ｂ端子にはＲデータが与えられ，ｄ端子にはＢデータが与えられる。
【００４５】
切替スイッチ51のａ端子およびｂ端子は第１のバッファ回路61と接続されており，Ｇデータは第１のバッファ回路61に与えられる。切替スイッチ51のｂ端子は第２のバッファ回路71と接続されており，Ｒデータは第２のバッファ回路71に与えられる。切替スイッチ51のｄ端子は第３のバッファ回路81と接続されており，Ｂデータは第３のバッファ回路81に与えられる。
【００４６】
第１のバッファ回路61から出力されるＧデータは第１の遅延回路62に与えられ一画素分遅延させられて出力する。第１の遅延回路62において一画素分遅延して出力したＧデータは第２の遅延回路63に与えられさらに一画素分遅延させられて出力する。第２の遅延回路63の出力が補間回路60から出力されるデータのうちの１つとなる。第１のバッファ回路61から出力されるＧデータおよび第２の遅延回路63から出力されるＧデータは反転増幅回路64にも与えられる。反転増幅回路64は１／２倍の増幅率をもつもので入力する２つのＧデータを加算しかつ負に反転して出力する回路である。反転増幅回路64の出力データは非反転増幅回路65に与えられる。非反転増幅回路65には第１の遅延回路62から出力される画像データも与えられる。非反転増幅回路65は１倍の増幅率をもつもので，入力する２つのＧデータを加算して出力する。この非反転増幅回路65の出力データが上述したように偽色発生を防止する補正データとなる。
【００４７】
第２のバッファ回路71から出力されるＲデータは第３の遅延回路72に与えられ１画素分遅延させられて出力する。第３の遅延回路72から出力されるＲデータは切替スイッチ75のａ端子に与えられる。第３の遅延回路72から出力されるＲデータは非反転増幅回路73にも与えられる。非反転増幅回路73には第２のバッファ回路71から出力されるＲデータも与えられる。非反転増幅回路73は１／２倍の増幅率をもつもので，入力する２つのＲデータを加算して出力する回路である。非反転増幅回路73において，補間対象画素の両側に隣接する画素の画像データの平均が演算されることとなる。非反転増幅回路73の出力データは非反転増幅回路74に与えられる。非反転増幅回路74には非反転増幅回路65から出力される補正データも与えられる。非反転増幅回路74は１倍の増幅率をもつもので入力するデータを加算して出力する回路である。非反転増幅回路74の出力データが補間対象画素を表わす画像データとなる。非反転増幅回路74の出力データは切替スイッチ75のｂ端子に与えられる。
【００４８】
切替スイッチ75には第２の画素クロック・パルスＣＬＫ２が与えられており，この第２の画素クロック・パルスＣＬＫ２に応じてａ端子とｂ端子とが切替えられる。切替スイッチ75から補間対象画像を表わすデータを含むＲデータが出力され，補間回路60から出力されるデータの１つとなる。
【００４９】
第３のバッファ回路81から出力されるＢデータは第４の遅延回路82に与えられ１画素分遅延させられて出力する。第４の遅延回路82から出力されるＢデータは切替スイッチ85のａ端子に与えられる。第４の遅延回路82から出力されるＢデータは非反転増幅回路83にも与えられる。非反転増幅回路83には第３のバッファ回路81から出力されるＢデータも与えられる。非反転増幅回路83は１／２倍の増幅率をもつもので，入力する２つのＢデータを加算して出力する回路である。非反転増幅回路83において，補間対象画素の両側に隣接する画素の画像データの平均が演算されることとなる。非反転増幅回路83の出力データは非反転増幅回路84に与えられる。非反転増幅回路84には非反転増幅回路65から出力される補正データも与えられる。非反転増幅回路84は１倍の増幅率をもつもので入力するデータを加算して出力する回路である。非反転増幅回路84の出力データが補間対象画素を表わす画像データとなる。非反転増幅回路84の出力データは切替スイッチ85のｂ端子に与えられる。
【００５０】
切替スイッチ85には第２の画素クロック・パルスＣＬＫ２が与えられており，この第２の画素クロック・パルスＣＬＫ２に応じてａ端子とｂ端子とが切替えられる。切替スイッチ85から補間対象画素を表わすデータを含むＢデータが出力され，補間回路60から出力されるデータの１つとなる。
【００５１】
補間回路60から出力されるデータのうち補間対象画素を表わすデータについては補間対象画素の両側に隣接する画素データの相加平均を用いるのではなく，この相加平均によって得られるデータを補正したデータを用いるので対象画像のエッジ部分であっても図10に示すように偽色の発生を防止できる。
【００５２】
図４および図５(E) を参照して，補正対象画素としてＲ3 に相当する画素およびＢ4 に相当する画素を生成するものとする。
【００５３】
この場合，図４に示すように第１のバッファ回路61，第１の遅延回路62および第２の遅延回路63からはそれぞれ，Ｇ1 データ，Ｇ3 データおよびＧ5 データが出力される。反転増幅回路64にはＧ1 データとＧ5 データとが入力することとなるので，Ｇ1 データとＧ5 データとの相加平均の負のデータが得られる。反転増幅回路65にはＧ1 データとＧ5 データとの相加平均の負のデータとＧ3 データとが入力することとなるので補正データΔ3 としてＧ3 −（Ｇ1 ＋Ｇ5 ）／２が得られる。
【００５４】
また第２のバッファ回路71および第３の遅延回路72からはそれぞれＲ1 データおよびＲ5 データが出力される。非反転増幅回路73にはＲ1 データとＲ5 データとが入力するので，Ｒ1 データとＲ5 データとの相加平均を表わすデータが得られる。
【００５５】
非反転増幅回路74からＲ1 データとＲ5 データとの相加平均を表わすデータに補正データΔ3 を加算したデータが出力されることとなり，Ｒ3 画素に相当する補間対象画素を表わすデータ（Ｒ1 ＋Ｒ5 ）／２＋Δ3 が得られる。
【００５６】
また第３のバッファ回路81および第４の遅延回路82からはそれぞれＢ2 データおよびＢ6 データが出力される。非反転増幅回路83にはＢ2 データとＢ6 データとが入力するので，Ｂ2 データとＢ6 データとの相加平均を表わすデータが得られる。
【００５７】
非反転増幅回路83からＢ2 データとＢ6 データとの相加平均を表わすデータに補正データΔ3 を加算したデータが出力されることとなり，Ｂ4 画素に相当する補間対象画素を表わすデータ（Ｂ2 ＋Ｂ6 ）／２＋Δ3 が得られる。
【００５８】
図６および図７(A) 〜(C) は他の実施例を示すもので，図６は２ライン・センサの電気的構成を示すブロック図，図７(A) 〜(C) は図１に示すスキャナ32または図２に示すコンピュータ装置の各回路に流れるＧ信号（Ｇデータ），Ｒ／Ｂ信号，ＲデータおよびＢデータを示している。図６において図３に示すものと同一物には同一符号を付して説明を省略する。
【００５９】
図３に示す２ライン・センサ21においては緑色用ライン・センサ22のフォトダイオード２と，赤色青色兼用ライン・センサ23のフォトダイオード23とは１／２画素分ずれている。これに対して図６に示す２ライン・センサ21Ａにおいては緑色用ライン・センサ22Ａのフォトダイオード２と，赤色青色兼用ライン・センサ23Ａのフォトダイオード６は画素ずれがなく一致している。
【００６０】
２ライン・センサ21からはＧ信号と，Ｒ信号とＢ信号とが交互に現われるＲ／Ｂ信号が出力される。
【００６１】
図６に示す２ライン・センサ21Ａによって対象画像を読取った場合，２ライン・センサ21Ａから出力されるＧ信号およびＲ／Ｂ信号についてはいずれも間引処理が行なわれない。すなわちＧ信号は間引回路28を単に通過し，Ｒ／Ｂ信号は間引回路29を単に通過する。
【００６２】
Ｇ信号およびＲ／Ｂ信号は合成回路30において点順次化されたあとディジタル画像データに変換される。点順次化されたディジタル画像データはＲＧＢ分離回路50においてＲデータ，ＧデータおよびＢデータに分離される（図７(B) ）。
【００６３】
分離回路50において分離されたＲデータ，ＧデータおよびＢデータは補間回路60に与えられ上述した２ライン・センサ21によって対象画像を読取った場合の補間対象画素の生成処理と同様にして補間対象画素が生成される（図７(C) ）。
【００６４】
スキャナのＣＣＤ撮像ユニット20に，図６に示す２ライン・センサ21Ａを用いた場合でも対象画像のエッジ部分における偽色の発生を防止しつつ画素の補間処理が実現できる。
【００６５】
対象画像のエッジ部分については上記補正データΔを相加平均を表わすデータに加算することにより補正されるが，対象画像のエッジ部分以外の部分については上記補正データΔは０となる。このため実際の対象画像の色と異なる色が表示されてしまうことも防止できる。
【００６６】
上述の実施例においては，補間対象画素の両側に隣接する画素を表わす画像データの相加平均を演算し，この相加平均を表わすデータに補正データを加算することにより補間対象画素の画像データを生成しているが，この相加平均に補正係数を乗じるようにしてもよい。
【００６７】
また上述の実施例においてはスキャナの各回路およびコンピュータ装置の各回路はハードウェア回路により構成されているが，ソフトウェアにより実現してもよいのはいうまでもない。
【図面の簡単な説明】
【図１】スキャナの電気的構成を示すブロック図である。
【図２】コンピュータ装置の電気的構成を示すブロック図である。
【図３】２ライン・センサの電気的構成を示すブロック図である。
【図４】ＲＧＢ分離回路および補正回路の電気的構成を示すブロック図である。
【図５】  (A) 〜(E) はスキャナおよびコンピュータ装置の各回路に流れるデータ（信号）を表わしている。
【図６】２ライン・センサの電気的構成を示すブロック図である。
【図７】  (A) 〜(C) はスキャナおよびコンピュータ装置の各回路に流れるデータ（信号）を表わしている。
【図８】  (A) 〜(C) はスキャナおよびコンピュータ装置の各回路に流れるデータ（信号）を表わしている。
【図９】  (A) および(B) は偽色の発生を示している。
【図１０】偽色の発生防止を示している。
【符号の説明】
２，６  フォトダイオード
12  写真フイルム
21，21Ａ  ２ライン・センサ
22，22Ａ  緑色用ライン・センサ
23，23Ａ  赤色青色兼用ライン・センサ
60  補間回路
61，71，83  バッファ回路
62，63，72，82  遅延回路
64  反転増幅回路
65，73，74，83，84  非反転増幅回路
75，85  切替スイッチ
【図１】
0003702051.tif 000002
【図２】
0003702051.tif 000003
【図３】
0003702051.tif 000004
【図６】
0003702051.tif 000005
【図４】
0003702051.tif 000006
【図５】
0003702051.tif 000007
【図７】
0003702051.tif 000008
【図８】
0003702051.tif 000009
【図９】
0003702051.tif 000010
【図１０】
0003702051.tif 000011